【誤訳訂正書】
【提出日】平成28年10月4日(2016.10.4)
【誤訳訂正１】
【訂正対象書類名】明細書
【訂正対象項目名】００３１
【訂正方法】変更
【訂正の内容】
【００３１】
さらに、好ましいものは、
ａ）少なくとも一つの、好ましくは少なくとも二つの、式（II）
【化４】
2016029189.tif 000001
（式中、
Ｚは上記意味及び好ましいものを有し、
Ａ及びＢは、互いに独立して、原子５もしくは６個の単環、原子５もしくは６個の二つの隣接する単環、原子８、９もしくは１０個の二環系又は原子１３もしくは１４個の三環系から選択される、非置換である、又は置換されている炭素環式又は複素環式芳香族又は脂環式基を表し、好ましくは、Ａ及びＢは、中断されていない、又は少なくとも一つのヘテロ原子及び／又は少なくとも一つの橋掛け基によって中断されているベンゼン又はフェニレン、ピリジン、トリアジン、ピリミジン、ビフェニレン、ナフタレン、フェナントレン、トリフェニレン、テトラリンであり；好ましいものは、ベンゼン、フェニレン、ナフタレン、ビフェニレン、フェナントレン又はトリフェニレンであり、より好ましいものは、ベンゼン、フェニレン及びビフェニレンであり、特にフェニレン又はステロイド骨格であり；さらに好ましいＢはシクロヘキシレン又はステロイド骨格であり；
Ｕは、水素又は直鎖状又は分岐鎖状の、非置換である、又は少なくとも一度、ハロゲン、ニトリル、エーテル、エステル、シロキサン、アミド又はアミンで置換されているＣ1〜Ｃ16アルキル基、特にＣ1〜Ｃ12アルキル基、より特にＣ1〜Ｃ6アルキル基（一つ以上のＣ原子、ＣＨ−又はＣＨ2−基が、互いに独立して、置き換えられていない、又は上記意味及び好ましいものの範囲内の結合基によって置き換えられている；特に、Ｃ原子、ＣＨ−又はＣＨ2−基が、−ＮＨ−、−ＮＣＨ3−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ3−、ＮＣＨ3−ＣＯ−、−ＣＯ−ＮＣＨ3−、−ＮＣＨ3−ＣＯ−Ｏ−、−Ｏ−ＣＯ−ＮＣＨ3−、−ＮＣＨ3−ＣＯＮＣＨ3−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−又は非置換である、又は置換されているシクロヘキシレンもしくは非置換である、又は置換されているフェニレンによって置き換えられている）を表し、
好ましくは、Ｕは、水素；又は非置換である、又はハロゲン、ニトリル、エーテル、エステル、アミド又はアミンで；好ましくはフッ素又はニトリルで、特に１、２、３、４、５、６、７、８、９又は１０個、より特に１、２、３、４、５、６又は７個、もっとも特に１、２、３又は５個のフッ素で置換されているＱ1−（Ｃ1〜Ｃ6アルキレン）（一つ以上のＣ原子、ＣＨ−又はＣＨ2−基が、互いに独立して、置き換えられていない、又は上記意味及び好ましいものの範囲内の結合基によって置き換えられている；特に、Ｃ原子、ＣＨ−又はＣＨ2−基が、−ＮＨ−、−ＮＣＨ3−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ3−、ＮＣＨ3−ＣＯ−、−ＣＯ−ＮＣＨ3−、−ＮＣＨ3−ＣＯ−Ｏ−、−Ｏ−ＣＯ−ＮＣＨ3−、−ＮＣＨ3−ＣＯＮＣＨ3−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−又は非置換である、又は置換されているシクロヘキシレンもしくは非置換である、又は置換されているフェニレンによって置換されている）であり；
Ｑ1は、単結合又は−ＮＨ−、−Ｎ（ＣＨ3）−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＣＯＮ（ＣＨ3）−、−（ＣＨ3）ＮＣＯ−、−Ｏ−、−ＣＯ−、−ＣＯＯ−、−ＯＣＯ−、−ＯＣＦ2−、−ＣＦ2−Ｏ−、−ＣＦ2Ｓ−、−ＳＣＦ2−、−ＣＦ2ＮＨ−、−ＮＨＣＦ2−、−Ｓ−、−ＣＳ−、−ＳＣＳ−、−ＳＣＯ−、−ＣＨ＝ＣＨ−、−Ｃ≡Ｃ−もしくは−Ｏ−ＣＯ−Ｏ−を表し；
好ましくは、Ｑ1は、−Ｏ−、−ＣＯ−、−ＣＯＯ−、−ＯＣＯ−又は単結合、より好ましくは−Ｏ−又は単結合であり；
好ましくは、フッ素置換基は、環Ｂへの結合とは反対側の、アルキル基の末端位置にあり、
より好ましくは、アルキル基は、末端基として、式−ＣＦ3、−ＣＦ2Ｈ、−ＣＨ2Ｆ、−ＣＦ2ＣＦ3、−ＣＦ2ＣＨＦ2、−ＣＦ2ＣＨ2Ｆ、−ＣＦＨＣＦ3、−ＣＦＨＣＨＦ2、−ＣＦＨＣＨ2Ｆ、−ＣＦ2ＣＨ3、−ＣＦＨＣＨＦ2、−（ＣＦ2）2ＣＦ3、−（ＣＦ2）2ＣＨＦ2、−（ＣＦ2）2ＣＨ2Ｆ、−（ＣＦ2）2ＣＨ3、−（ＣＦ2）3ＣＨＦ2、−（ＣＦ2）3ＣＨ2Ｆ、−（ＣＦ2）3ＣＦ3、−ＣＦ（ＣＦ3）2又は−ＣＦ2（ＣＨＦ）ＣＦ3、もっとも好ましくは式−ＣＦ2Ｈ、−ＣＦ2Ｈ、−ＣＨ2Ｆ、−ＣＦ3、−ＣＦ2ＣＦ3、−ＣＦ2ＣＨＦ2；特にもっとも好ましくは式−ＣＦ3、−ＣＨ2Ｆ、−ＣＦ2ＣＦ3、特に−ＣＦ3のフッ素アルキル残基によって示される、又はそれを有し；
より好ましくは、Ｕは、水素、−ＣＦ3、−ＣＦ2Ｈ、−ＣＨ2Ｆ、−Ｑ1−（Ｃ1〜Ｃ6アルキレン）−ＣＦ3、−Ｑ1−（Ｃ1〜Ｃ6アルキレン）−ＣＦ2Ｈ、−Ｑ1−（Ｃ1〜Ｃ6アルキレン）−ＣＨ2Ｆ、−Ｑ1−（Ｃ1〜Ｃ6アルキレン）−ＣＦ2ＣＦ3、−Ｑ1−（Ｃ1〜Ｃ6アルキレン）−ＣＦ2ＣＨＦ2、−Ｑ1−（Ｃ1〜Ｃ6アルキレン）−ＣＦ2ＣＨ2Ｆ、−Ｑ1−（Ｃ1〜Ｃ6アルキレン）−ＣＦＨＣＦ3、−Ｑ1−（Ｃ1〜Ｃ6アルキレン）−ＣＦＨＣＨＦ2、−Ｑ1−（Ｃ1〜Ｃ6アルキレン）−ＣＦＨＣＨ2Ｆ、−Ｑ1−（Ｃ1〜Ｃ6アルキレン）−ＣＦ2ＣＨ3、−Ｑ1−（Ｃ1〜Ｃ6アルキレン）−ＣＦＨＣＨＦ2、−Ｑ1−（Ｃ1〜Ｃ6アルキレン）−（ＣＦ2）2ＣＦ3、−Ｑ1−（Ｃ1〜Ｃ6アルキレン）−（ＣＦ2）2ＣＨＦ2、−Ｑ1−（Ｃ1〜Ｃ6アルキレン）−（ＣＦ2）2ＣＨ2Ｆ、−Ｑ1−（Ｃ1〜Ｃ6アルキレン）−（ＣＦ2）2ＣＨ3、−Ｑ1−（Ｃ1〜Ｃ6アルキレン）−（ＣＦ2）3ＣＨＦ2、−Ｑ1−（Ｃ1〜Ｃ6アルキレン）−（ＣＦ2）3ＣＨ2Ｆ、−Ｑ1−（Ｃ1〜Ｃ6アルキレン）−（ＣＦ2）3ＣＦ3、−Ｑ1−（Ｃ1〜Ｃ6アルキレン）−ＣＦ（ＣＦ3）2、−Ｑ1−（Ｃ1〜Ｃ6アルキレン）−ＣＦ2（ＣＨＦ）ＣＦ3（一つ以上のＣ原子、ＣＨ−又はＣＨ2−基が、互いに独立して、置き換えられていない、又は上記意味及び好ましいものの範囲内の結合基によって置き換えられている；特に、Ｃ原子、ＣＨ−又はＣＨ2−基が、−ＮＨ−、−ＮＣＨ3−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ3−、ＮＣＨ3−ＣＯ−、−ＣＯ−ＮＣＨ3−、−ＮＣＨ3−ＣＯ−Ｏ−、−Ｏ−ＣＯ−ＮＣＨ3−、−ＮＣＨ3−ＣＯＮＣＨ3−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−又は非置換である、又は置換されているシクロヘキシレンもしくは非置換である、又は置換されているフェニレンによって置換されている）であり、
−Ｑ1−は上記意味及び好ましいものを有し、
Ｒ2及びＲ3は、互いに独立して、水素、フッ素、塩素、ニトリル、非置換である、又はフッ素で置換されているＣ1〜Ｃ12アルキル（一つ以上のＣ原子、ＣＨ−又はＣＨ2−基が結合基によって置換されていてもよい）を表し；好ましくは、Ｒ2及びＲ3は、互いに独立して、水素及び／又はニトリル、好ましくは水素を表し；
Ｘは、二価芳香族基、たとえばフェニレン、特に１，４−フェニレンである；又は、Ｘは、−ＣＨ2−、−ＣＯ−、−ＣＳ−、−Ｏ（ＣＯ）−、−（ＣＯ）Ｏ−、−ＮＨ（ＣＯ）−、−（ＣＯ）ＮＨ−、−ＯＣＦ2−、−ＳＣＦ2−、−ＮＨ−ＣＦ2−、（（Ｃ1〜Ｃ6アルキル）−Ｎ）ＣＯ−、好ましくは（（ＣＨ3）Ｎ）ＣＯ−又は−Ｓ（ＣＳ）−、−Ｏ（ＣＳ）、−Ｓ（ＣＯ）、好ましくは−Ｏ（ＣＯ）−である）
の光反応性基を有する第一のモノマー、及び
ｂ）少なくとも一つの非光反応性基又は少なくとも一つの光反応性基を有する化合物の群から選択される少なくとも一つのモノマーを有する第二のモノマー（ただし、第二のモノマーは第一のモノマーとは異なる）
を含むコポリマーである。
【誤訳訂正２】
【訂正対象書類名】明細書
【訂正対象項目名】００３９
【訂正方法】変更
【訂正の内容】
【００３９】
式（Ｉ）の光反応性基を含む好ましい第一及び／又は第二のモノマー、特に第一のモノマーは、たとえば式（IV）
【化５】
2016029189.tif 000002
の基によって示される。
式中、Ｘ、Ｚ、Ｒ2、Ｒ3及びＵは、上記と同じ意味及び好ましいものを有し、好ましくは、
Ｚは上記意味及び好ましいものを有し、
Ｂは、非置換である、又は置換されているベンゼン又はフェニレン、ピリジン、トリアジン、ピリミジン、ビフェニレン、ナフタレン、フェナントレン、トリフェニレン、テトラリン、好ましくはフェニレン又はシクロプロパン、シクロブタン、シクロペンタン、シクロペンテン、シクロヘキサン、シクロヘキセン、シクロヘキサジエン、デカリン、テトラヒドロフラン、ジオキサン、ピロリジン、ピペリジン及びステロイド骨格から選択される脂環式基、好ましくはシクロヘキサン又はステロイド骨格を表し；より好ましくは、Ｂはフェニレン又はシクロヘキサン基であり、
Ｒ2及びＲ3は水素及び／又はニトリルであり、
Ｘは、二価芳香族基、たとえばフェニレン、特に１，４−フェニレンである；又はＸは、−ＣＨ2−、−ＣＯ−、−ＣＳ−、−Ｏ（ＣＯ）−、−（ＣＯ）Ｏ−、−ＮＨ（ＣＯ）−、−（ＣＯ）ＮＨ−、−ＯＣＦ2−、（（Ｃ1〜Ｃ6アルキル）−Ｎ）ＣＯ−、好ましくは（（ＣＨ3）Ｎ）ＣＯ−又は−Ｓ（ＣＳ）−、−Ｏ（ＣＳ）、−Ｓ（ＣＯ）、好ましくは−Ｏ（ＣＯ）−であり；
Ｕは、水素又は極性基、特にフルオロ又はニトリルで置換されている、又は非置換であるＣ1〜Ｃ16アルキル基、特にＣ1〜Ｃ12アルキル基、より特にＣ1〜Ｃ6アルキル基；又は−ＣＦ3、−ＣＦ2Ｈ、−ＣＨ2Ｆ、−Ｑ1−（Ｃ1〜Ｃ6アルキレン）−ＣＦ3、−Ｑ1−（Ｃ1〜Ｃ6アルキレン）−ＣＦ2Ｈ、−Ｑ1−（Ｃ1〜Ｃ6アルキレン）−ＣＨ2Ｆ、−Ｑ1−（Ｃ1〜Ｃ6アルキレン）−ＣＦ2ＣＦ3、−Ｑ1−（Ｃ1〜Ｃ6アルキレン）−ＣＦ2ＣＨＦ2、−Ｑ1−（Ｃ1〜Ｃ6アルキレン）−ＣＦ2ＣＨ2Ｆ、−Ｑ1−（Ｃ1〜Ｃ6アルキレン）−ＣＦＨＣＦ3、−Ｑ1−（Ｃ1〜Ｃ6アルキレン）−ＣＦＨＣＨＦ2、−Ｑ1−（Ｃ1〜Ｃ6アルキレン）−ＣＦＨＣＨ2Ｆ、−Ｑ1−（Ｃ1〜Ｃ6アルキレン）−ＣＦ2ＣＨ3、−Ｑ1−（Ｃ1〜Ｃ6アルキレン）−ＣＦＨＣＨＦ2、−Ｑ1−（Ｃ1〜Ｃ6アルキレン）−（ＣＦ2）2ＣＦ3、−Ｑ1−（Ｃ1〜Ｃ6アルキレン）−（ＣＦ2）2ＣＨＦ2、−Ｑ1−（Ｃ1〜Ｃ6アルキレン）−（ＣＦ2）2ＣＨ2Ｆ、−Ｑ1−（Ｃ1〜Ｃ6アルキレン）−（ＣＦ2）2ＣＨ3、−Ｑ1−（Ｃ1〜Ｃ6アルキレン）−（ＣＦ2）3ＣＨＦ2、−Ｑ1−（Ｃ1〜Ｃ6アルキレン）−（ＣＦ2）3ＣＨ2Ｆ、−Ｑ1−（Ｃ1〜Ｃ6アルキレン）−（ＣＦ2）3ＣＦ3、−Ｑ1−（Ｃ1〜Ｃ6アルキレン）−ＣＦ（ＣＦ3）2、−Ｑ1−（Ｃ1〜Ｃ6アルキレン）−ＣＦ2（ＣＨＦ）ＣＦ3であり；
一つ以上のＣ原子、ＣＨ−又はＣＨ2−基が、互いに独立して、置き換えられていない、又は上記意味及び好ましいものの範囲内の結合基によって置き換えられている；特にＣ原子、ＣＨ−又はＣＨ2−基が、−ＮＨ−、−ＮＣＨ3−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ3−、ＮＣＨ3−ＣＯ−、−ＣＯ−ＮＣＨ3−、−ＮＣＨ3−ＣＯ−Ｏ−、−Ｏ−ＣＯ−ＮＣＨ3−、−ＮＣＨ3−ＣＯＮＣＨ3−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−又は非置換である、又は置換されているシクロヘキシレンもしくは非置換である、又は置換されているフェニレンによって置き換えられており、
Ｑ1は、単結合又は−ＮＨ−、−Ｎ（ＣＨ3）−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＣＯＮ（ＣＨ3）−、−（ＣＨ3）ＮＣＯ−、−Ｏ−、−ＣＯ−、−ＣＯＯ−、−ＯＣＯ−、−ＯＣＦ2−、−ＣＦ2−Ｏ−、−ＣＦ2Ｓ−、−ＳＣＦ2−、−ＣＦ2ＮＨ−、−ＮＨＣＦ2−、−Ｓ−、−ＣＳ−、−ＳＣＳ−、−ＳＣＯ−、−ＣＨ＝ＣＨ−、−Ｃ≡Ｃ−もしくは−Ｏ−ＣＯ−Ｏ−を表し；
好ましくは、Ｑ1は、−Ｏ−、−ＣＯ−、−ＣＯＯ−、−ＯＣＯ−又は単結合、より好ましくは−Ｏ−又は単結合であり；
Ｄは、非置換である、又は置換されている脂肪族、芳香族又は／及び脂環式重合性基、
好ましくは炭素原子１〜４０個を有するジアミン基を表し、より好ましくは、ただし１，３−ジアミノフェニル基は除外され、
ｙ及びｚは、互いに独立して、１、２、３又は４、好ましくは１又は２であり；
ｗは、１、２、３、４、好ましくは１又は２であり、
Ｓ1及びＳ2は、互いに独立して、単結合又は環式、直鎖状又は分岐鎖状の、置換されている、又は非置換であるＣ1〜Ｃ24アルキレン（一つ以上の、好ましくは隣接しないＣ原子、ＣＨ−又はＣＨ2−基が結合基によって置き換えられていてもよい）及び／又は式（Ｖ）：
−（Ｚ1〜Ｃ1）a1−（Ｚ2〜Ｃ2）a2−（Ｚ1a）a3−（Ｖ）
の非芳香族、芳香族の、非置換である、又は置換されている炭素環式又は複素環式基であるスペーサ単位を表し；
式中、
Ｃ１、Ｃ2は、互いに独立して、好ましくは橋掛け基Ｚ1及びＺ2及び／又はＺ1aを介して互いに接続されている、脂環式又は芳香族の、場合により置換されている炭素環式又は複素環式基を表し、好ましくは、Ｃ1及びＣ2は、橋掛け基Ｚ1及びＺ2及び／又はＺ1aを介して反対側の位置において接続され、そのため、基Ｓ1及び／又はＳ2は長い分子軸を有し、
Ｚ1、Ｚ2、Ｚ1aは、互いに独立して、上記意味及び好ましいものの範囲内の橋掛け基を表し、
ａ1、ａ2、ａ3は、互いに独立して、０〜３の整数を表し、そのため、ａ1＋ａ2＋ａ3≦６であり、好ましくはａ3が０であり、ａ1＋ａ2が≦４であり、
好ましくは、Ｓ1及びＳ2は、互いに独立して、単結合又は直鎖状又は分岐鎖状の、置換されている、又は非置換であるＣ1〜Ｃ24アルキレン、好ましくはＣ1〜Ｃ12アルキレン、より好ましくはＣ1〜Ｃ6アルキレン（一つ以上の、好ましくは隣接しないＣ原子、ＣＨ−又はＣＨ2−基が、結合基、好ましくは単結合、−Ｏ−、−Ｏ（ＣＯ）、−Ｓ−、−（ＣＯ）Ｏ−又は
【化６】
2016029189.tif 000003
、−ＮＲ2′−によって置き換えられていてもよく、Ｒ2′は上記のとおりであり、Ｃ1〜Ｃ24アルキレンの置換基は、好ましくは、少なくとも一つのＣ1〜Ｃ6アルキル、好ましくはメチルである）であるスペーサ単位を表し；より好ましくは
Ｓ1は、直鎖状又は分岐鎖状のＣ1〜Ｃ6アルキレン、−Ｏ−、−ＣＨ2−、−Ｓ−、好ましくは−Ｏ−であり、
Ｓ2は、単結合又は直鎖状又は分岐鎖状の、置換されている、又は非置換であるＣ1〜Ｃ24アルキレン（一つ以上の、好ましくは隣接しないＣ原子、ＣＨ−又はＣＨ2−基が、結合基、好ましくは単結合、−Ｏ−、−Ｏ（ＣＯ）、−Ｓ−、−（ＣＯ）Ｏ−又は
【化７】
2016029189.tif 000004
、−ＮＲ2′−によって置き換えられていてもよく、置換基は、好ましくは、少なくとも一つのＣ1〜Ｃ6アルキル、好ましくはメチルである）であるスペーサ単位を表す。
【誤訳訂正３】
【訂正対象書類名】特許請求の範囲
【訂正対象項目名】全文
【訂正方法】変更
【訂正の内容】
【特許請求の範囲】
【請求項１】
ａ）少なくとも一つの式（ＩＶ）
【化１】
2016029189.tif 000005
の光反応性基を有する第一のモノマー
［式中、
Ｚは、−Ｏ−、−ＣＯ−、−ＣＨ（ＯＨ）−、−ＣＨ２（ＣＯ）−、−ＯＣＨ２−、−ＣＨ２Ｏ−、−Ｏ−ＣＨ２−Ｏ−、−ＣＯＯ−、−ＯＣＯ−、−ＯＣＦ２−、−ＣＦ２Ｏ−、−ＣＦ２−、−ＣＯＮ（Ｃ１〜Ｃ１６アルキル）−、−（Ｃ１〜Ｃ１６アルキル）ＮＣＯ−、−ＣＯＮＨ−、−ＮＨＣＯ−、−ＨＮＯＣＯ−、−ＯＣＯＮＨ−、−ＮＨＣＯＮＨ−、−ＯＣＯＯ−、−ＣＯ−Ｓ−、−Ｓ−ＣＯ−、−ＣＳＳ−、−ＳＯＯ−、−ＯＳＯ−、−ＳＯＳ−、−ＳＯ−、−ＣＨ２（ＳＯ）−、−ＳＯ２−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＨ＝Ｎ−、−Ｃ（ＣＨ３）＝Ｎ−、−Ｎ＝Ｎ−又は単結合である橋掛け基を表し、
Ｂは、非置換である、又はハロゲン、Ｃ１〜Ｃ１６アルコキシ、Ｃ１〜Ｃ１６アルキル、ニトロ又はニトリルで置換されているベンゼン又はフェニレン、ピリジン、トリアジン、ピリミジン、ビフェニレン、ナフタレン、フェナントレン、トリフェニレン、テトラリン、シクロプロパン、シクロブタン、シクロペンタン、シクロペンテン、シクロヘキサン、シクロヘキセン、シクロヘキサジエン、デカリン、テトラヒドロフラン、ジオキサン、ピロリジン、ピペリジン及びステロイド骨格から選択される脂環式基を表し、
Ｒ２及びＲ３は水素及び／又はニトリルであり、
Ｘは、二価芳香族基、又は−ＣＨ２−、−ＣＯ−、−ＣＳ−、−Ｏ（ＣＯ）−、−（ＣＯ）Ｏ−、−ＮＨ（ＣＯ）−、−（ＣＯ）ＮＨ−、−ＯＣＦ２−、（（Ｃ１〜Ｃ６アルキル）−Ｎ）ＣＯ−、又は−Ｓ（ＣＳ）−、−Ｏ（ＣＳ）、−Ｓ（ＣＯ）であり；
Ｕは、水素又はフルオロ又はニトリルである極性基で置換されている、又は非置換であるＣ１〜Ｃ１６アルキル基、又は−ＣＦ３、−ＣＦ２Ｈ、−ＣＨ２Ｆ、−Ｑ１−（Ｃ１〜Ｃ６アルキレン）−ＣＦ３、−Ｑ１−（Ｃ１〜Ｃ６アルキレン）−ＣＦ２Ｈ、−Ｑ１−（Ｃ１〜Ｃ６アルキレン）−ＣＨ２Ｆ、−Ｑ１−（Ｃ１〜Ｃ６アルキレン）−ＣＦ２ＣＦ３、−Ｑ１−（Ｃ１〜Ｃ６アルキレン）−ＣＦ２ＣＨＦ２、−Ｑ１−（Ｃ１〜Ｃ６アルキレン）−ＣＦ２ＣＨ２Ｆ、−Ｑ１−（Ｃ１〜Ｃ６アルキレン）−ＣＦＨＣＦ３、−Ｑ１−（Ｃ１〜Ｃ６アルキレン）−ＣＦＨＣＨＦ２、−Ｑ１−（Ｃ１〜Ｃ６アルキレン）−ＣＦＨＣＨ２Ｆ、−Ｑ１−（Ｃ１〜Ｃ６アルキレン）−ＣＦ２ＣＨ３、−Ｑ１−（Ｃ１〜Ｃ６アルキレン）−ＣＦＨＣＨＦ２、−Ｑ１−（Ｃ１〜Ｃ６アルキレン）−（ＣＦ２）２ＣＦ３、−Ｑ１−（Ｃ１〜Ｃ６アルキレン）−（ＣＦ２）２ＣＨＦ２、−Ｑ１−（Ｃ１〜Ｃ６アルキレン）−（ＣＦ２）２ＣＨ２Ｆ、−Ｑ１−（Ｃ１〜Ｃ６アルキレン）−（ＣＦ２）２ＣＨ３、−Ｑ１−（Ｃ１〜Ｃ６アルキレン）−（ＣＦ２）３ＣＨＦ２、−Ｑ１−（Ｃ１〜Ｃ６アルキレン）−（ＣＦ２）３ＣＨ２Ｆ、−Ｑ１−（Ｃ１〜Ｃ６アルキレン）−（ＣＦ２）３ＣＦ３、−Ｑ１−（Ｃ１〜Ｃ６アルキレン）−ＣＦ（ＣＦ３）２、−Ｑ１−（Ｃ１〜Ｃ６アルキレン）−ＣＦ２（ＣＨＦ）ＣＦ３であり；
一つ以上のＣ原子、ＣＨ−又はＣＨ２−基が、互いに独立して、置き換えられていない、又は単結合、−Ｓ−、−Ｓ（ＣＳ）−、−（ＣＳ）Ｓ−、−ＣＯ−Ｓ−、−Ｓ−ＣＯ−、−Ｏ−、−ＣＯ、−ＣＯ−Ｏ−、−Ｏ−ＣＯ−、
【化２】
2016029189.tif 000006
、−ＮＲ２′−、−ＮＲ２′−ＣＯ−、−ＣＯ−ＮＲ２′−、−ＮＲ２′−ＣＯ−Ｏ−、−Ｏ−ＣＯ−ＮＲ２′−、−ＮＲ２′−ＣＯ−ＮＲ２′−、−ＣＨ＝ＣＨ−、−Ｃ≡Ｃ−、−Ｏ−ＣＯ−Ｏ−、−Ｓｉ（ＣＨ３）２−Ｏ−Ｓｉ（ＣＨ３）２−、環式、直鎖状又は分岐鎖状の、非置換であるＣ１〜Ｃ２４アルキレン（一つ以上のＣ原子、ＣＨ−又はＣＨ２−基が、互いに独立して、−Ｏ−によって置き換えられていてもよい）；及び非置換であるシクロヘキシレン及び非置換であるフェニレン（Ｒ２′は、水素原子又はＣ１〜Ｃ６アルキルを表し；ただし、結合基の酸素原子は互いに直接には結合していない）から選択される結合基によって置き換えられている；
Ｑ１は、単結合又は−ＮＨ−、−Ｎ（ＣＨ３）−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＣＯＮ（ＣＨ３）−、−（ＣＨ３）ＮＣＯ−、−Ｏ−、−ＣＯ−、−ＣＯＯ−、−ＯＣＯ−、−ＯＣＦ２−、−ＣＦ２−Ｏ−、−ＣＦ２Ｓ−、−ＳＣＦ２−、−ＣＦ２ＮＨ−、−ＮＨＣＦ２−、−Ｓ−、−ＣＳ−、−ＳＣＳ−、−ＳＣＯ−、−ＣＨ＝ＣＨ−、−Ｃ≡Ｃ−もしくは−Ｏ−ＣＯ−Ｏ−を表し；
ｙ及びｚは、互いに独立して、１、２、３又は４であり；
ｗは、１、２、３、４であり、
Ｓ１及びＳ２は、互いに独立して、単結合又は環式、直鎖状又は分岐鎖状の、非置換であるＣ１〜Ｃ２４アルキレン（一つ以上のＣ原子、ＣＨ−又はＣＨ２−基が結合基によって置き換えられていてもよい）であるスペーサ単位を表し；
結合基は、単結合、−Ｓ−、−Ｓ（ＣＳ）−、−（ＣＳ）Ｓ−、−ＣＯ−Ｓ−、−Ｓ−ＣＯ−、−Ｏ−、−ＣＯ−、−ＣＯ−Ｏ−、−Ｏ−ＣＯ−、
【化３】
2016029189.tif 000007
、−ＮＲ２′−、−ＮＲ２′−ＣＯ−、−ＣＯ−ＮＲ２′−、−ＮＲ２′−ＣＯ−Ｏ−、−Ｏ−ＣＯ−ＮＲ２′−、−ＮＲ２′−ＣＯ−ＮＲ２′−、−ＣＨ＝ＣＨ−、−Ｃ≡Ｃ−、−Ｏ−ＣＯ−Ｏ−、−Ｓｉ（ＣＨ３）２−Ｏ−Ｓｉ（ＣＨ３）２−、環式、直鎖状又は分岐鎖状の、非置換であるＣ１〜Ｃ２４アルキレン（一つ以上のＣ原子、ＣＨ−又はＣＨ２−基が、互いに独立して、−Ｏ−によって置き換えられていてもよい）；及び非置換であるシクロヘキシレン及び非置換であるフェニレン（Ｒ２′は、水素原子又はＣ１〜Ｃ６アルキルを表し；ただし、結合基の酸素原子は互いに直接には結合していない）から選択される；
Ｄは
【化４】
2016029189.tif 000008
（式中、
Ｌは、−ＣＨ３、−ＣＯＣＨ３、−ＯＣＨ３、ニトロ、ニトリル、ハロゲン、ＣＨ２＝ＣＨ−、ＣＨ２＝Ｃ（ＣＨ３）−、ＣＨ２＝ＣＨ−（ＣＯ）Ｏ−、ＣＨ２＝ＣＨ−Ｏ−、−ＮＲ５Ｒ６、ＣＨ２＝Ｃ（ＣＨ３）−（ＣＯ）Ｏ−又はＣＨ２＝Ｃ（ＣＨ３）−Ｏ−であり、
Ｒ５及びＲ６は、互いに独立して、水素原子又はＣ１〜Ｃ６アルキルを表し；
ｕ３は０〜２の整数である。）
からなる群より選択される。］、及び
ｂ）少なくとも一つの非光反応性基又は少なくとも一つの光反応性基を有する化合物の群から選択される少なくとも一つのモノマーを有する第二のモノマー（ただし、第二のモノマーは第一のモノマーとは異なり、少なくとも一つの非光反応性基がステロイド骨格を含むか、少なくとも一つの光反応性基が式（ＩＶ）で表され、Ｂがシクロヘキシレンである）
を含むコポリマー。
【請求項２】
第一のモノマーと第二のモノマーとを接触させることを含む、請求項１記載のコポリマーの調製方法。
【請求項３】
請求項１に記載されたコポリマーを含む組成物。
【請求項４】
請求項１に記載されたコポリマー；又は請求項３記載の組成物を支持体に適用し、それを配向光で処理することを含む、コポリマー層の調製方法。
【請求項５】
少なくとも、請求項１に記載されたコポリマー、又は請求項３記載の組成物を含むコポリマー層。
【請求項６】
請求項４記載の方法によって得ることができるコポリマー層。
【請求項７】
請求項３記載の組成物；又は請求項５若しくは６記載の又は請求項４にしたがって得られたコポリマー層；又は請求項１記載のコポリマーの少なくとも一つを含む光学及び電気光学的非構造化又は構造化構成要素、好ましくは液晶ディスプレイセル、多層又はハイブリッド層要素。
【請求項８】
ディスプレイ導波管、セキュリティ又はブランド保護要素、バーコード、光学格子、フィルタ、リターダ、補償フィルム、反射偏光フィルム、吸収偏光フィルム、異方性拡散フィルム補償子及びリターデーションフィルム、ねじれリターダフィルム、コレステリック液晶フィルム、ゲスト−ホスト液晶フィルム、モノマーコルゲートフィルム、スメクチック液晶フィルム、偏光子、圧電セル、非線形光学特性を示す薄膜、装飾的光学要素、輝度向上フィルム、波長バンド選択的補償のためのコンポーネント、マルチドメイン補償のためのコンポーネント、マルチビュー液晶ディスプレイのコンポーネント、アクロマチックリターダ、偏光状態補正／調節フィルム、光学又は電気光学センサのコンポーネント、輝度向上フィルムのコンポーネント、光ベースの通信装置のコンポーネント、異方性吸収体を有するＧ／Ｈ偏光子、反射円偏光子、反射線偏光子、ＭＣ（モノマーコルゲートフィルム）、ねじれネマチック（ＴＮ）液晶ディスプレイ、ハイブリッド配向ネマチック（ＨＡＮ）液晶ディスプレイ、電気制御複屈折（ＥＣＢ）液晶ディスプレイ、超ねじれネマチック（ＳＴＮ）液晶ディスプレイ、光学補償複屈折（ＯＣＢ）液晶ディスプレイ、パイセル液晶ディスプレイ、インプレーンスイッチング（ＩＰＳ）液晶ディスプレイ、フリンジフィールドスイッチング（ＦＦＳ）液晶ディスプレイ；（ＰＳＶＡ）ポリマー安定化垂直配向；（ＦＰＡ）電界誘起光反応性配向；ハイブリッドＦＰＡ；垂直配向（ＶＡ）、好ましくは（ＭＶＡ＝マルチドメイン垂直配向）、（ＰＶＡ）パターン化ＶＡ；ＶＡ−ＩＰＳモード液晶ディスプレイ又はブルー相液晶を使用するディスプレイの調製のための要素であって；すべての上記ディスプレイタイプは透過又は反射又は半透過モードで適用される、請求項３記載の少なくとも一つの組成物；又は請求項１記載のコポリマー；又は請求項５若しくは６記載の、又は請求項４にしたがって調製された少なくとも一つのコポリマー層を含む、請求項７記載の光学及び電気光学的非構造化又は構造化構成要素。
【請求項９】
請求項３記載の少なくとも一つの組成物；又は請求項１記載のコポリマー；又は請求項５若しくは６記載の、又は請求項４にしたがって調製された少なくとも一つのコポリマー層を含む配向層。